(57)【要約】【課題】特に複数のトリガ間にかけられるトリガ条件の論理式（演算式）を直感的に分かるようにする。【解決手段】トリガ設定画面１５０に、トリガソース部１５６と論理演算設定部１５７とを表示し、論理演算設定部１５７に論理回路１５７ａ〜１５７ｃを設計図のような回路図的に表示するとともに、論理回路１５７ａ〜１５７ｃは、タップ操作でＡＮＤからＯＲもしくはＯＲからＡＮＤに切り替え可能とする。【選択図】図２
2018091644.tif 000002
【特許請求の範囲】
【請求項１】
複数の入力チャンネルと、上記各入力チャンネルより入力される被測定信号に対して所定のトリガ条件を設定するトリガ設定部と、上記被測定信号を記憶する記憶部と、表示部と、制御部とを含み、上記制御部は上記トリガ条件に基づいて上記被測定信号を処理して上記記憶部に記憶するとともに上記表示部に表示する記録装置において、
上記表示部にタッチパネル式のディスプレイが用いられ、上記被測定信号に対して所定のトリガ条件を設定するにあたって、上記ディスプレイに、上記トリガ設定部として、タップ操作でダイアログ画面より上記被測定信号に対する所定のトリガ条件を設定できるトリガソース部と、タップ操作で所定の論理演算が設定可能である論理回路を有し、上記トリガソース部から出力されるトリガ出力を入力として論理演算を行う論理演算設定部とを含むトリガ設定画面が表示され、上記トリガ設定画面上で、タップ操作によりトリガ条件およびその論理演算が設定可能であることを特徴とする記録装置。
【請求項２】
上記トリガソース部には、上記各入力チャンネルに対するトリガのほかに、強制トリガ、外部トリガ、インターバルトリガ、ロジックトリガの少なくとも一つのトリガが含まれることを特徴とする請求項１に記載の記録装置。
【請求項３】
上記論理回路は、タップ操作によりＡＮＤ，ＯＲ，ＸＯＲ，ＮＯＴ，ＮＡＮＤ，ＮＯＲ，ＸＮＯＲのいずれか一つに切り替えられることを特徴とする請求項１または２に記載の記録装置。
【請求項４】
上記論理演算設定部には、上記論理回路が多段に組み合わされていることを特徴とする請求項１ないし３のいずれか１項に記載の記録装置。
【請求項５】
上記トリガ設定画面には、プリトリガ設定部とポストトリガ設定部とがさらに含まれていることを特徴とする請求項１ないし４のいずれか１項に記載の記録装置。
【発明の詳細な説明】
【技術分野】
【０００１】
本発明は記録装置に関し、さらに詳しく言えば、トリガ条件を画面上で容易に設定することができる記録装置に関するものである。
【背景技術】
【０００２】
被測定信号を監視して記録するにあたっては、被測定信号にトリガ条件を設定して測定を行うことがある。なお、トリガ（Trigger）とは、特定の信号により記録の開始・停止のタイミングをとる機能であり、特定の信号により、記録を開始・停止することを本明細書では「トリガがかかる」もしくは「トリガをかける」という。
【０００３】
通常、トリガの設定は、トリガ設定画面を開いて行う。そのトリガ設定画面には、例えば、「アナログ、ロジック波形等に対するトリガ設定」のほかに、「開始トリガ条件」、「停止トリガ条件」、「トリガモード（繰り返しの有無）」、「プリトリガ」、「ポストトリガ」、「外部開始トリガ」、「外部停止トリガ」、「インターバルトリガ」等の設定項目が並べられており、ユーザーは、これらの設定項目を選択しながら、被測定信号に対して所定のトリガを設定し、また、測定の目的等に応じて、入力チャンネル間でトリガの論理積（ＡＮＤ），論理和（ＯＲ）条件等を設定するようにしている。
【０００４】
これによれば、各入力チャンネルより入力される被測定信号に対して設定される閾値や波形の立ち上がり、立ち下がり等のトリガの設定状況は分かりやすいが、特に入力チャンネル間でかけられるトリガの論理積（ＡＮＤ），論理和（ＯＲ）は分かり難い、という問題があった。
【０００５】
そこで、特許文献１に記載された発明では、表示画面の一部に、操作部にて設定されるトリガ条件論理式を表示するトリガ条件論理式表示部を設け、この表示部に設定された論理式（演算式）を例えば「ＣＨ１↑＆（ＣＨ２|ＣＨ３）＆ＣＨ４」等として表示するようにしている（この例において、式中、「↑」は立ち上がりエッジ、「＆」は論理積、「|」は論理和を意味している）。
【０００６】
これによれば、トリガ条件論理式表示部に表示される上記のような論理式により、ＣＨ１〜ＣＨ４間にかけられたトリガ条件を理解することができるが、特に論理式が複雑に組まれている場合には、依然として、その内容を直感的に理解することは難しい。
【先行技術文献】
【特許文献】
【０００７】
【特許文献１】特開２０１０−１６９５２４号公報
【発明の概要】
【発明が解決しようとする課題】
【０００８】
そこで、本発明の課題は、特に複数のトリガ間にかけられるトリガ条件の論理式（演算式）を直感的に分かるようにした記録装置を提供することにある。
【課題を解決するための手段】
【０００９】
上記課題を解決するため、本発明は、複数の入力チャンネルと、上記各入力チャンネルより入力される被測定信号に対して所定のトリガ条件を設定するトリガ設定部と、上記被測定信号を記憶する記憶部と、表示部と、制御部とを含み、上記制御部は上記トリガ条件に基づいて上記被測定信号を処理して上記記憶部に記憶するとともに上記表示部に表示する記録装置において、
上記表示部にタッチパネル式のディスプレイが用いられ、上記被測定信号に対して所定のトリガ条件を設定するにあたって、上記ディスプレイに、上記トリガ設定部として、タップ操作でダイアログ画面より上記被測定信号に対する所定のトリガ条件を設定できるトリガソース部と、タップ操作で所定の論理演算が設定可能である論理回路を有し、上記トリガソース部から出力されるトリガ出力を入力として論理演算を行う論理演算設定部とを含むトリガ設定画面が表示され、上記トリガ設定画面上で、タップ操作によりトリガ条件およびその論理演算が設定可能であることを特徴としている。
【００１０】
上記トリガソース部には、上記各入力チャンネルに対するトリガのほかに、強制トリガ、外部トリガ、インターバルトリガ、ロジックトリガの少なくとも一つもしくはそれ以上のトリガを含むことができる。
【００１１】
また、上記論理回路は、タップ操作により少なくともＡＮＤ（論理積）もしくはＯＲ（論理和）に切り替えられるが、ＸＯＲ（排他的論理和），ＮＯＴ（論理否定）およびこれらの反転形であるＮＡＮＤ，ＮＯＲ，ＸＮＯＲに切り替えられてもよい。
【００１２】
また、上記論理演算設定部は、少なくとも一つの論理回路を備えるが、上記論理回路を多段に組み合わせることもできる。
【００１３】
また、上記トリガ設定画面には、プリトリガ設定部とポストトリガ設定部とがさらに含まれてよい。
【発明の効果】
【００１４】
本発明によれば、トリガ設定画面にトリガソース部と論理演算設定部とが表示され、論理演算設定部には論理回路（その組合せを含む）が設計図のような回路図的に表示されるため、複数のトリガ間に設定されるトリガ条件の論理式（演算式）を直感的に理解することができる。
【００１５】
また、表示される論理回路は、タップ操作で例えば論理積（ＡＮＤ）から論理和（ＯＲ）もしくは論理和（ＯＲ）から論理積（ＡＮＤ）に切り替わるため、画面上で論理式（演算式）を容易に設定することもできる。
【図面の簡単な説明】
【００１６】
【図１】本発明の一実施形態に係る記録装置の構成を示す模式図。
【図２】トリガ設定画面を示す模式図。
【図３】アナログトリガの設定ダイアログを示す模式図。
【発明を実施するための形態】
【００１７】
次に、図面を参照して、本発明の実施形態について説明するが、本発明はこれに限定されるものではない。
【００１８】
図１に示すように、本実施形態に係る記録装置１には、基本的な構成として、複数の入力部１１（１１ａ〜１１ｎ）、制御部１２、操作部１３、記憶部１４、表示部１５およびタッチパネル制御部１６が含まれている。
【００１９】
入力部１１には、図示しないセンサにて検出された電圧や電流等のアナログの被測定信号が入力される。入力部１１はＡ／Ｄ変換器を備え、アナログの被測定信号をデジタルの測定データに変換して制御部１２に与える。なお、以下の説明において、個々の入力部１１ａ〜１１ｎを入力チャンネルと言うことがある。
【００２０】
なお、いくつかの入力部１１には、ロジック信号が入力されてよい。この場合には、Ａ／Ｄ変換器は不要である。また、所定の入力部１１をトリガ入力部とし、そのトリガ入力部から制御部１２に例えば外部トリガ、インターバルトリガ、強制トリガ等を与えることもできる。
【００２１】
すなわち、入力部１１には、アナログの被測定信号のほかに、ロジック信号、外部トリガ、インターバルトリガ、強制トリガ等が入力されてよい。
【００２２】
制御部１２には、好ましくはＣＰＵ（中央演算処理ユニット）やマイクロコンピュータが用いられる。制御部１２は、測定データの記憶部１４への書き込み・読み出しのほか、測定データからインピーダンス等を算出する演算機能、測定データと閾値とを比較する比較機能および判定機能、表示部１５に対する表示制御機能等を備えている。
【００２３】
操作部１３は、図示しないカーソルキーや測定レンジ選択ボタン等が設けられた操作パネルを有し、その操作パネルから制御部１２に測定に必要な指示が出される。
【００２４】
本発明において、表示部１５には、タッチパネル式ディスプレイ（以下、単に「ディスプレイ」と言うことがある）１５ａが用いられる。このディスプレイ１５ａによれば、画面に指やペンを触れることにより、例えばスイッチをオンオフしたり、データ等を入力することができる。
【００２５】
すなわち、タッチパネルは、操作部１３の一部として機能し、タッチパネルから入力される情報はタッチパネル制御部１６を介して制御部１２に与えられる。なお、画面に指やペンを触れる操作を「タップ」（もしくは「クリック」）すると言う。
【００２６】
この記録装置１によると、ディスプレイ１５ａの画面上でトリガ条件を設定することができる。ディスプレイ１５ａの初期画面に表示されているタスク項目（図示省略）の中から「トリガ」を選択すると、ディスプレイ１５ａに図２に示すトリガ設定画面１５０が現れる。
【００２７】
トリガ設定の手順を順を追って説明すると、まず、トリガ設定画面１５０内のトリガ機能の設定タブ１５１をタップしてトリガ機能をＯＮにする。設定タブ１５１の表示は、タップすることによりトグルスイッチのようにＯＮ／ＯＦＦが切り替わる。次に、トリガモードの設定タブ１５２をタップしてトリガモードを設定する。
【００２８】
本実施形態において、設定タブ１５２をタップすると、「単発」、「繰返」の２つが表示され、この中から、「単発」を選択すると、１回のみトリガが受け付けられる。すなわち、「単発」モードでは、ＳＴＡＲＴキー１５０ａを押して測定を開始した後、トリガが１回かかると所定の記録長分だけ波形を記憶部１４に記録して測定を終了する。
【００２９】
これに対して、「繰返」モードを選択すると、連続してトリガが受け付けられる。この場合には、続いて回数の設定タブ１５３を開いて、繰返回数を例えば２〜１０００回の範囲内で設定する。なお、トリガがかからないときにはトリガ待ちの状態となり、記録を終了するときは、ＳＴＯＰキー１５０ｂを押す。１回押しで記録長分波形を取り込んだ後記録が終了し、２回押しでその時点で記録が終了する。
【００３０】
次に、トリガタイミング設定タブ１５４を開いて、「ＳＴＡＲＴ」、「ＳＴＯＰ」、「ＳＴＡＲＴ／ＳＴＯＰ」の中からトリガタイミングを設定する。
【００３１】
「ＳＴＡＲＴ」を選択すると、トリガで記録をスタートし、記録長分記録したら記録ストップとなる。「ＳＴＯＰ」を選択した場合には、ＳＴＡＲＴキーを押した時点からトリガがかかった時点までを記録する。「ＳＴＡＲＴ／ＳＴＯＰ」を選択した場合には、トリガがかかった時点から次にトリガがかかる時点までの間を記録する。
【００３２】
次に、プリトリガをかける場合には、設定タブ１５５ａを開いてプリトリガを設定し、ポストトリガをかける場合には、設定タブ１５５ｂを開いてポストトリガを設定する。
【００３３】
プリトリガでは、開始トリガが成立した後の波形を記録するだけでなく、トリガ成立前の波形も記録する。これに対して、ポストトリガでは、停止トリガからある一定期間後までの波形も記録する。
【００３４】
いずれの場合も、設定ダイアログが開かれ、プリトリガおよびポストトリガの記録長が最大記録長に対する％で表示される。この例では、プリトリガは０〜１００％の範囲内、ポストトリガは０〜４０％の範囲内からの選択となる。
【００３５】
例えば、プリトリガ設定値９５％の場合には、開始トリガが成立以前の９５％が記録され、開始トリガ成立後は残りの５％が記録される。プリトリガ設定値５０％の場合には、開始トリガが成立以前の５０％が記録され、開始トリガ成立後は残りの５０％が記録される。これに対して、ポストトリガ設定値２０％の場合には、停止トリガ成立後、最大記録長の２０％分の波形が記録される。
【００３６】
次に、トリガソース設定タブ１５６でトリガをかけるソースを設定する。この例において、トリガソースには、アナログトリガ１５６ａ、外部トリガ１５６ｂ、インターバルトリガ１５６ｃおよび強制トリガ１５６ｄの４つのソースが含まれているが、ロジックトリガが含まれてもよい。                                            
【００３７】
アナログ信号（リアルタイム演算信号を含む）でトリガをかける場合には、アナログトリガ１５６ａに表示されている入力チャンネル１１ａ〜１１ｎの中からトリガをかける入力チャンネルをタップして図３に示す設定ダイアログを開く。
【００３８】
この設定ダイアログ画面で、まず、トリガの種類（ＯＦＦ、レベル、ウインドウ・イン、ウインドウ・アウト、電圧降下、周期、グリッチ、波形判定等）を選択する。トリガをかけない場合にはＯＦＦを選択する。
【００３９】
トリガの種類として、例えば「レベル」が選択されると、図３に示すように、設定ダイアログ内にアナログ波形とトリガポイントＴが表示され、この表示を参照しながら、引き続き「スロープ」、「イベント」、「フィルタ」の各項目について設定する。
【００４０】
「スロープ」の項では、信号がトリガレベル（閾値）を下から上に横切るか、上から下に横切るか、どちらの条件でトリガをかけるのかを設定する。「イベント」の項では、例えば１〜４０００の中からイベント数を設定する。設定電圧値（レベル値）の立ち上がりもしくは立ち下がり数を計数し、設定したイベント数を超えたときにトリガがかかる。「フィルタ」の項では、ノイズ対策としてフィルタ幅を例えばｄｉｖ（ディビジョン）数で設定する。
【００４１】
外部制御端子（ＥＸＴ．ＴＲＩＧ）を使用して、外部からの入力信号をトリガソースとして使用する場合には、外部トリガ１５６ｂをタップし、その設定ダイアログを開いてＯＮを選択する。外部トリガを使用しない場合にはＯＦＦを選択する。
【００４２】
インターバルトリガとして、指定した時間間隔で開始トリガを成立させる場合には、インターバルトリガ１５６ｃをタップし、その設定ダイアログを開いてＯＮを選択する。インターバルトリガを使用しない場合にはＯＦＦを選択する。
【００４３】
強制トリガ１５６ｄは、手動で強制的にトリガをかける場合に使用される。強制トリガは、操作部１３の所定のキー操作でトリガをかける。
【００４４】
強制トリガがかけられると、ほかのトリガソースの設定とは関係なく最優先でトリガがかかる。波形記録を終了させるにはＳＴＯＰキー１５０ｂを押す。１回押しで、所定記録長分取り込んだのち記録が終了する。２回押しで、押した時点で記録を終了する。
【００４５】
本発明によると、トリガ設定画面１５０内に、上記トリガソース設定タブ１５６とともに、各トリガソース１５６ａ〜１５６ｄ間に所定の論理演算（論理式）を設定する論理演算設定部（論理演算設定タブ）１５７が表示される。
【００４６】
この実施形態において、論理演算設定部１５７には、第１，第２および第３の３つの論理回路１５７ａ〜１５７ｃが含まれている。各論理回路１５７ａ〜１５７ｃは、その表示箇所をタップすることにより、論理演算がトグルスイッチように、ＡＮＤ（論理積）→ＯＲ（論理和）もしくはＯＲ（論理和）→ＡＮＤ（論理積）に切り替わる。
【００４７】
この実施形態において、デフォルトとして、第１論理回路１５７ａはＡＮＤ、第２，第３論理回路１５７ｂ，１５７ｃはＯＲであるが、他の論理演算としてＸＯＲやＮＯＴさらにはこれらの反転形であるＮＡＮＤ，ＮＯＲ，ＸＮＯＲ等であってもよい。
【００４８】
この実施形態において、第１論理回路１５７ａは、アナログトリガ１５６ａと外部トリガ１５６ｂとを入力としてＡＮＤ演算を行う。なお、アナログトリガ１５６ａには、複数の入力チャンネル１１ａ〜１１ｎが含まれているが、トリガが設定されないトリガＯＦＦの入力チャンネルは、第１論理回路１５７ａの入力から外される。同様に、外部トリガ１５６ｂもトリガＯＦＦに設定されている場合には、第１論理回路１５７ａの入力から外される。
【００４９】
第２論理回路１５７ｂは、第１論理回路１５７ａの出力とインターバルトリガ１５６ｃとを入力としてＯＲ演算を行う。第３論理回路１５７ｃは、第２論理回路１５７ｂの出力と強制トリガ１５６ｄとを入力としてＯＲ演算を行う。
【００５０】
上記第１，第２および第３論理回路１５７ａ〜１５７ｃによる論理式によれば、アナログトリガ１５６ａと外部トリガ１５６ｂとのＡＮＤが成立したとき、インターバルトリガ１５６ｃがかかったとき、強制トリガ１５６ｄがかけられたとき、のいずれかのときにトリガが成立し、これに基づいて、測定開始、波形記録、測定停止等が制御される。
【００５１】
なお、第１論理回路１５７ａをＡＮＤからＯＲに変更したい場合には、第１論理回路１５７ａの表示部分をタップすればよい。同様に、第２論理回路１５７ｂ，第３論理回路１５７ｃの表示部分をタップすれば、その論理演算をＯＲからＡＮＤに切り替えることができる。
【００５２】
上記実施形態では、論理回路を３つとしているが、それよりも少なくてもよいし、多くてもよい。また、ＡＮＤ，ＯＲの組合せも任意に設定することができる。これらの組合せ等の設定は操作部１３の指示により制御部１２が行う。また、ＡＮＤ，ＯＲだけでなく、ＸＯＲやＮＯＴさらにはこれらの反転形であるＮＡＮＤ，ＮＯＲ，ＸＮＯＲ等の論理回路を併用することもできる。
【符号の説明】
【００５３】
１  記録装置
１１（１１ａ〜１１ｎ）  入力部（入力チャンネル）
１２  制御部
１３  操作部
１４  記憶部
１５  表示部
１５ａ  タッチパネル式のディスプレイ
１５０  トリガ設定画面
１５６（１５６ａ〜１５６ｄ）  トリガソース
１５７  論理演算設定部
１５７ａ〜１５７ｃ  論理回路
【図１】
2018091644.tif 000003
【図２】
2018091644.tif 000004
【図３】
2018091644.tif 000005